(57)【要約】【課題】交流駆動方式を採用した液晶表示装置において、順次切替方式によって生成された階調基準電圧の出力順序を最適順に変更することによって、装置稼働中に交流駆動電圧を変更する際に、交流駆動電圧を形成する階調基準電圧における、中間電位に対する正負の差分が発生する時間を最小にする。【解決手段】開示される液晶表示装置および液晶表示装置の制御方法は、交流駆動方式の液晶表示装置において、階調基準電圧生成部４Ａに、同一の出力電圧設定部７から順次切り替えて入力される階調基準電圧の出力順序を入力順序とは異ならせてソース・ドライバＩＣ２に供給する出力切り替え制御部１１を設け、装置稼働中に階調基準電圧を変化させる場合に、ソース・ドライバＩＣ２に入力される交流駆動電圧を形成する階調基準電圧における、最適化されている中間電位（Ｖcom ）に対する正負の差分が発生する時間が最小になるように制御するものである。【選択図】図１
2008065286.tif 000002
【特許請求の範囲】
【請求項１】
交流駆動方式の液晶表示装置において、階調基準電圧生成部に、同一の出力電圧設定部から順次切り替えて入力される階調基準電圧の出力順序を入力順序とは異ならせてソース・ドライバに供給する出力切り替え制御部を備え、該出力切り替え制御部が、装置稼働中に階調基準電圧の出力順序を変化させる場合に、前記ソース・ドライバに入力される交流駆動電圧を形成する階調基準電圧における、最適化されている中間電位に対する正負の差分が発生する時間が最小になるように制御することを特徴とする液晶表示装置。
【請求項２】
前記出力切り替え制御部が、前記階調基準電圧の出力順序を所定のシーケンスに従って入力順序と異ならせるように制御する切り替えスイッチ制御部と、該切り替えスイッチ制御部の制御に従って前記出力電圧設定部からの階調基準電圧の出力順序を入力順序とは異ならせて前記ソース・ドライバに供給する切り替えスイッチとを備えてなることを特徴とする請求項１記載の液晶表示装置。
【請求項３】
交流駆動方式の液晶表示装置において、出力電圧設定部とソース・ドライバとの間に出力切り替え制御回路を備え、該出力切り替え制御回路が、前記出力電圧設定部から順次切り替えて入力される階調基準電圧の出力順序を入力順序とは異ならせてソース・ドライバに供給するとともに、装置稼働中に階調基準電圧の出力順序を変化させる場合に、前記ソース・ドライバに入力される交流駆動電圧を形成する階調基準電圧における、最適化されている中間電位に対する正負の差分が発生する時間が最小になるように制御することを特徴とする液晶表示装置。
【請求項４】
前記出力切り替え制御回路が、前記階調基準電圧の出力順序を所定のシーケンスに従って入力順序と異ならせるように制御する切り替えスイッチ制御部と、該切り替えスイッチ制御部の制御に従って前記出力電圧設定部からの階調基準電圧の出力順序を入力順序とは異ならせて前記ソース・ドライバに供給する切り替えスイッチとを備えてなることを特徴とする請求項３記載の液晶表示装置。
【請求項５】
液晶表示装置において、装置電源電圧の状態を監視して装置駆動時にのみ制御情報を出力する電源電圧モニタ回路を備え、前記出力切り替え制御部または出力切り替え制御回路が、装置起動時には前記出力電圧設定部からの階調基準電圧の出力順序を変化させずに、装置駆動時に前記制御情報に基づいて前記出力電圧設定部からの階調基準電圧の出力順序を入力順序とは異ならせてソース・ドライバに供給するように構成されていることを特徴とする請求項１乃至４のいずれか一記載の液晶表示装置。
【請求項６】
前記電源電圧モニタ回路が、ソース・ドライバに対してロジック電圧が供給されていることを判定したことによって、前記制御情報を出力するように構成されていることを特徴とする請求項５記載の液晶表示装置。
【請求項７】
液晶表示装置において、装置起動後の経過時間を検出して装置駆動時にのみ制御情報を出力する起動時間検出回路を備え、前記出力切り替え制御部または出力切り替え制御回路が、装置起動時には前記出力電圧設定部からの階調基準電圧の出力順序を変化させずに、装置駆動時に前記制御情報に基づいて前記出力電圧設定部からの階調基準電圧の出力順序を入力順序とは異ならせてソース・ドライバに供給するように構成されていることを特徴とする請求項１乃至４のいずれか一記載の液晶表示装置。
【請求項８】
前記起動時間検出回路が、ソース・ドライバに対してロジック電圧が供給されている状態で所定時間の経過によって装置稼働中であることを判定したことによって、前記制御情報を出力するように構成されていることを特徴とする請求項７記載の液晶表示装置。
【請求項９】
液晶表示装置において、前記出力切り替え制御部または出力切り替え制御回路において使用すべきシーケンスを記憶する外部記憶媒体を備え、該外部記憶媒体に記憶されているシーケンスに応じて前記出力切り替え制御部または出力切り替え制御回路が、その動作を変更可能に構成したことを特徴とする請求項５乃至７のいずれか一記載の液晶表示装置。
【請求項１０】
前記電源電圧モニタ回路からの制御情報または前記起動時間検出回路からの制御情報に応じて、前記記憶媒体から前記出力切り替え制御部または出力切り替え制御回路において使用すべきシーケンスを読み出して、該シーケンスを前記出力切り替え制御部または出力切り替え制御回路に設けられた切り替えスイッチ制御部に供給することによって、該切り替えスイッチ制御部が、前記切り替えスイッチの切り替え順序の制御を行うように構成されていることを特徴とする請求項９記載の液晶表示装置。
【請求項１１】
交流駆動方式の液晶表示装置において、階調基準電圧生成部に、同一の出力電圧設定部から順次切り替えて入力される階調基準電圧の出力順序を入力順序とは異ならせてソース・ドライバに供給する出力切り替え制御部を設け、該出力切り替え制御部が、装置稼働中に階調基準電圧の出力順序を変化させる場合に、前記ソース・ドライバに入力される交流駆動電圧を形成する階調基準電圧における、最適化されている中間電位に対する正負の差分が発生する時間が最小になるように制御することを特徴とする液晶表示装置の制御方法。
【請求項１２】
前記出力切り替え制御部が、切り替えスイッチ制御部を備えて前記階調基準電圧の出力順序を所定のシーケンスに従って入力順序と異ならせるように制御するとともに、切り替えスイッチを備えて前記切り替えスイッチ制御部の制御に従って前記出力電圧設定部からの階調基準電圧の出力順序を入力順序とは異ならせて前記ソース・ドライバに供給することを特徴とする請求項１１記載の液晶表示装置の制御方法。
【請求項１３】
交流駆動方式の液晶表示装置において、出力電圧設定部とソース・ドライバとの間に出力切り替え制御回路を設け、該出力切り替え制御回路が、前記出力電圧設定部から順次切り替えて入力される階調基準電圧の出力順序を入力順序とは異なる順序に変更してソース・ドライバに供給するとともに、装置稼働中に階調基準電圧の出力順序を変化させる場合に、前記ソース・ドライバに入力される交流駆動電圧を形成する階調基準電圧における、最適化されている中間電位に対する正負の差分が発生する時間が最小になるように制御することを特徴とする液晶表示装置の制御方法。
【請求項１４】
前記出力切り替え制御回路が、切り替えスイッチ制御部を備えて前記階調基準電圧の出力順序を所定のシーケンスに従って入力順序と異ならせるように制御するとともに、切り替えスイッチを備えて前記切り替えスイッチ制御部の制御に従って前記出力電圧設定部からの階調基準電圧の出力順序を入力順序とは異ならせて前記ソース・ドライバに供給することを特徴とする請求項１３記載の液晶表示装置の制御方法。
【請求項１５】
液晶表示装置において、装置電源電圧の状態を監視して装置駆動時にのみ制御情報を出力する電源電圧モニタ回路を備え、前記出力切り替え制御部または出力切り替え制御回路が、装置起動時には前記出力電圧設定部からの階調基準電圧の出力順序を変化させずに、装置駆動時に前記制御情報に基づいて前記出力電圧設定部からの階調基準電圧の出力順序を入力順序とは異ならせてソース・ドライバに供給することを特徴とする請求項１１乃至１４のいずれか一記載の液晶表示装置の制御方法。
【請求項１６】
前記電源電圧モニタ回路が、ソース・ドライバに対してロジック電圧が供給されていることを判定したことによって、前記制御情報を出力することを特徴とする請求項１５記載の液晶表示装置の制御方法。
【請求項１７】
液晶表示装置において、装置起動後の経過時間を検出して装置駆動時にのみ制御情報を出力する起動時間検出回路を備え、前記出力切り替え制御部または出力切り替え制御回路が、装置起動時には前記出力電圧設定部からの階調基準電圧の出力順序を変化させずに、装置駆動時に前記制御情報に基づいて前記出力電圧設定部からの階調基準電圧の出力順序を入力順序とは異ならせてソース・ドライバに供給することを特徴とする請求項１１乃至１４のいずれか一記載の液晶表示装置の制御方法。
【請求項１８】
前記起動時間検出回路が、ソース・ドライバに対してロジック電圧が供給されている状態で所定時間の経過によって装置稼働中であることを判定したことによって、前記制御情報を出力することを特徴とする請求項１７記載の液晶表示装置の制御方法。
【請求項１９】
液晶表示装置において、前記出力切り替え制御部または出力切り替え制御回路において使用すべきシーケンスを記憶する外部記憶媒体を備え、該外部記憶媒体に記憶されているシーケンスに応じて前記出力切り替え制御部または出力切り替え制御回路が、その動作を変更可能になることを特徴とする請求項１５乃至１７のいずれか一記載の液晶表示装置の制御方法。
【請求項２０】
前記電源電圧モニタ回路からの制御情報または前記起動時間検出回路からの制御情報に応じて、前記記憶媒体から前記出力切り替え制御部または出力切り替え制御回路において使用すべきシーケンスを読み出して、該シーケンスを前記出力切り替え制御部または出力切り替え制御回路に設けられた切り替えスイッチ制御部に供給することによって、該切り替えスイッチ制御部が、前記切り替えスイッチの切り替え順序の制御を行うことを特徴とする請求項１９記載の液晶表示装置の制御方法。
【発明の詳細な説明】
【技術分野】
【０００１】
この発明は、交流駆動方式を採用した液晶表示装置において、構成部品数を抑制しながらも、表示品位の劣化低減を実現可能な、液晶表示装置および液晶表示装置の制御方法に関する。
【背景技術】
【０００２】
図８は、従来の液晶表示装置の基本的構成を示したものであって、液晶表示パネル１と、ソース・ドライバＩＣ２と、ゲート・ドライバＩＣ３とからなる表示部に対して、階調基準電圧生成部４と、電源部５と、制御部６とを備えた概略構成を有している。
液晶表示パネル１は、垂直方向に配置された複数本のデータ線と、水平方向に配置された複数本のアドレス線との交点ごとに設けられた画素を、データ線にドレインが接続されアドレス線にゲートが接続された画素駆動トランジスタを介して、階調基準電圧に応じて駆動することによって、入力信号に対応した画像表示を行う。
【０００３】
ソース・ドライバＩＣ２は、制御部６の制御に応じて、階調基準電圧生成部４から与えられる階調基準電圧と電源部５から供給される電圧とによって画素書き込み電圧を生成して、各画素列ごとに画素駆動トランジスタに供給する。ゲート・ドライバＩＣ３は、制御部６の制御に応じて、電源部５から供給される電圧によって、各画素行ごとに画素駆動トランジスタを駆動する。階調基準電圧生成部４は、切替タイミングの制御と出力電圧の指定を行う外部制御信号に応じて、階調基準電圧を生成してソース・ドライバＩＣ２に供給する。
【０００４】
電源部５は、ソース・ドライバＩＣ２に対して、ソース・ドライバＩＣ２の各ＩＣチップを動作させるためのロジック電源電圧と、各画素列の画素駆動トランジスタのソース側に与えるために必要な電源電圧とを供給し、また、ゲート・ドライバＩＣ３に対して、ゲート・ドライバＩＣ３の各ＩＣチップを動作させるためのロジック電源電圧と、画素駆動トランジスタのゲートをオフさせるための電圧及びゲートをオンさせるための電圧とを供給する。制御部６は、ソース・ドライバＩＣ２に対して、入力映像信号に応じて、データ線の位置情報と、各画素列の画素駆動トランジスタの画素書き込み電圧生成に必要な電圧とを供給し、ゲート・ドライバＩＣ３に対して、入力映像信号に応じて、アドレス線の位置情報と、各画素行の画素駆動トランジスタのゲートを制御するための電圧とを供給する。
【０００５】
液晶表示装置においては、液晶表示パネル１における所望の光学的γ特性を設定するためには、通常、１０〜２０種類の階調基準電圧が必要となる。階調基準電圧は、環境温度等によっても最適値が変化する。
階調電圧生成用回路には、電源部から供給される基準電圧と出力階調基準電圧との比率を、外部からディジタルデータとして与えることによって、液晶表示装置の駆動中に、この比率に応じてアナログ値からなる所要の階調基準電圧を生成する方式のものがある。この方式の場合は、ディジタルデータに基づいてアナログ値からなる出力階調基準電圧を生成するために、ディジタルアナログ（Ｄ／Ａ）コンバータを備えている。
さらに、このような階調電圧生成用回路において複数の階調基準電圧を生成するための出力切り替え回路方式としては、複数のディジタルアナログコンバータを使用して個別に出力階調基準電圧を生成する方式のものと、１個のディジタルアナログコンバータを用いて、複数の階調基準電圧を順次切り替えて生成する方式のものとがある。
【０００６】
図９は、ソース・ドライバＩＣ２に供給すべき階調基準電圧の全出力を、それぞれ異なるディジタルアナログコンバータを用いて生成する場合の回路構成の一例を示したものであって、階調基準電圧生成部に階調基準電圧出力数と同数のディジタルアナログコンバータを備えている。
【０００７】
図９において、階調基準電圧生成部４ａは、階調電圧値設定部２１と、ディジタルアナログコンバータ２２0，２２1，・・・，２２n，２２n+1，・・・，２２x-1，２２xとからなっている。
階調電圧値設定部２１は、外部制御信号に応じて、ソース・ドライバＩＣ２に出力すべき複数の階調基準電圧値に対応するそれぞれのディジタルデータを設定する。ディジタルアナログコンバータ２２0，２２1，・・・，２２n，２２n+1，・・・，２２x-1，２２xは、階調電圧値設定部２１から出力される各ディジタルデータをディジタルアナログ変換して得たアナログ値に応じて、電源部５から出力された基準電圧によって、全階調基準電圧出力Ｖ0 ，Ｖ1 ，・・・，Ｖn ，Ｖn+1 ，・・・，Ｖx-1 ，Ｖx を一括して生成して、ソース・ドライバＩＣ２に供給する。
【０００８】
図９に示された回路方式の場合、階調基準電圧の全出力を生成するためには、階調基準電圧の出力数と同数のディジタルアナログコンバータを必要とするため、構成部品数が多くなり、液晶表示装置の製造プロセスが複雑化するとともに、部品点数の増加によるコストアップや故障率の悪化等の問題が生じる。
【０００９】
図１０は、複数の階調基準電圧を、同一の回路を用いて順次一つずつ切り替えて生成する場合の回路構成の一例を示したものであって、１個のディジタルアナログコンバータのみを備えている。
階調基準電圧生成部４ｂは、出力電圧設定部７と切り替えスイッチ８とからなっている。出力電圧設定部７は、ソース・ドライバＩＣ２の各画素列に出力すべき階調基準電圧Ｖ0 ，Ｖ1 ，・・・，Ｖn ，Ｖn+1 ，・・・，Ｖx-1 ，Ｖx を順次設定する。切り替えスイッチ８は、出力電圧設定部７で生成した階調基準電圧を一定の順序で順次切り替えて、ソース・ドライバＩＣ２に供給する。
【００１０】
出力電圧設定部７は、階調電圧値設定部９と、ディジタルアナログコンバータ１０とからなっている。
階調電圧値設定部９は、外部制御信号に応じて各画素列に対応するディジタル値からなる階調電圧値を設定する。ディジタルアナログコンバータ１０は、ディジタル値からなる階調電圧値をディジタルアナログ変換して得たアナログ値に応じて、電源部５から出力された基準電圧によって、階調基準電圧Ｖ0 ，Ｖ1 ，・・・，Ｖn ，Ｖn+1 ，・・・，Ｖx-1 ，Ｖx を順次生成する。
【００１１】
図１１は、複数の階調基準電圧を、図１０に示すように同一の回路を用いて順次切り替えて生成する場合の、階調基準電圧の変化を示すタイミングチャートである。
いま、階調基準電圧Ｖ0 ，Ｖ1 ，・・・，Ｖn ，Ｖn+1 ，・・・，Ｖx-1 ，Ｖx を、同一添字の階調基準電圧ごとに、変更前の値をＶA で示し、変更後の値をＶB で示すものとする。階調基準電圧値を、ＶA0からＶB0に、ＶA1からＶB1に、ＶAnからＶBnに、ＶAn+1からＶBn+1に、ＶAx-1からＶBx-1に、ＶAxからＶBxに変更する際に、ＶA0およびＶAxで形成される交流駆動電圧を「Ａ」とし、ＶB0およびＶBxで形成される交流駆動電圧を「Ｇ」とすると、ＶA0がＶB0に遷移開始してからＶAxがＶBxに遷移終了するまでの期間「Ｔ１」の間は、ＶB0およびＶAxで形成される交流駆動電圧「Ｄ」がソース・ドライバＩＣに印加されることになる。
【００１２】
また、ＶA1およびＶAx-1で形成される交流駆動電圧を「Ｂ」とし、ＶB1およびＶBx-1で形成される交流駆動電圧を「Ｈ」とすると、ＶA1がＶB1に遷移開始してからＶAx-1がＶBx-1に遷移終了するまでの期間「Ｔ２」の間は、ＶB1およびＶAx-1で形成される交流駆動電圧「Ｅ」がソース・ドライバＩＣに印加されることになる。
同様に、ＶAnおよびＶAn+1で形成される交流駆動電圧を「Ｃ」とし、ＶBnおよびＶBn+1で形成される交流駆動電圧を「Ｉ」とすると、ＶAnがＶBnに遷移開始してからＶAn+1がＶBn+1に遷移終了するまでの期間「Ｔ３」の間は、ＶBnおよびＶAn+1で形成される交流駆動電圧「Ｆ」がソース・ドライバＩＣに印加されることになる。
【００１３】
図１０に示された順次切り替えの場合は、ディジタルアナログコンバータが１個で済むという利点があるが、反面、図１１に示されるように、期間Ｔ１＞期間Ｔ２＞期間Ｔ３なので、切り替え中に交流駆動電圧を形成する階調基準電圧の正負が不均等になるため、表示品位の劣化が生じる恐れがある。
【００１４】
そこで、このような問題を回避するためには、各階調基準電圧値を、ＶA0からＶB0へ、ＶA1からＶB1へ、ＶAnからＶBnへ、ＶAn+1からＶBn+1へ、ＶAx-1からＶBx-1へ、ＶAxからＶBxへ切り替える際の出力順を、Ｖ0 →Ｖx  ,・・・，Ｖ1 →Ｖx-1  ,・・・，Ｖn →Ｖn+1 のように変更できるようにして、交流駆動電圧「Ａ」、「Ｂ」、「Ｃ」を印加する際に、最適化されている中間電位（Ｖcom ）に対して、不均一な電圧が印加される時間を最小にすることが必要になるが、従来、このようなことを実現する手段は知られていなかった。
【００１５】
ここで中間電位Ｖcom は例えばＶA0とＶAxの電位差がＡの場合に、ＶA0とＶcom の電位差と、Ｖcom とＶAxの電位差がそれぞれＡ／２になるように設定されたとき最適化されており、また中間電位Ｖcom はＶA1とＶAx-1の電位差がＢの場合に、ＶA1とＶcom の電位差と、Ｖcom とＶAx-1の電位差がそれぞれＢ／２になるように設定されたとき最適化されており、同様に中間電位Ｖcom はＶAnとＶAn+1の電位差がＣの場合に、ＶAnとＶcom の電位差と、Ｖcom とＶAn+1の電位差がそれぞれＣ／２になるように設定されたとき最適化されているものとする。
【００１６】
さらに、階調基準電圧を変更した後も、中間電位Ｖcom はＶB0とＶBxの電位差がＧの場合に、ＶB0とＶcom の電位差と、Ｖcom とＶBxの電位差がそれぞれＧ／２になるように設定されたとき最適化されており、また中間電位Ｖcom はＶB1とＶBx-1の電位差がＨの場合に、ＶB1とＶcom の電位差と、Ｖcom とＶBx-1の電位差がそれぞれＨ／２になるように設定されたとき最適化されており、同様に中間電位Ｖcom はＶBnとＶBn+1の電位差がＩの場合に、ＶBnとＶcom の電位差と、Ｖcom とＶBn+1の電位差がそれぞれＩ／２になるように設定されたとき最適化されているものとする。
【００１７】
そして、図１１に示すように、階調基準電圧をＶA0→ＶB0, ＶAx→ＶBxに変更する過程で、ＶB0とＶcom の電位差（Ｇ／２）と、Ｖcom とＶAxの電位差（Ａ／２）の和がＤとなり、階調基準電圧をＶA1→ＶB1, ＶAx-1→ＶBx-1に変更する過程で、ＶB1とＶcom の電位差（Ｈ／２）と、Ｖcom とＶAx-1の電位差（Ｂ／２）の和がＥとなり、階調基準電圧をＶAn→ＶBn, ＶAn+1→ＶBn+1に変更する過程で、ＶBnとＶcom の電位差（Ｉ／２）と、Ｖcom とＶAn+1の電位差（Ｃ／２）の和がＦとなる状態の継続時間が、中間電位Ｖcom に対して不均一な電圧が印加される時間となる。
前述のように、階調基準電圧の切り替え中に交流駆動電圧の正負が不均等になることによって、表示品位の劣化が生じることを防止するためには、最適化されている中間電位（Ｖcom ）に対して、不均一な電圧が印加される時間を最小にすることが必要になる。
【００１８】
これに対して特許文献１においては、画像データ信号によって液晶パネルに画像信号を供給するための、小型化および低コスト化が容易で調整作業が容易な液晶駆動装置が開示されており、液晶駆動回路における階調基準電圧の制御方法が記載されているが、液晶駆動回路に複数の交流駆動電圧を順次切り替えて印加する際に、切り替えスイッチによって階調基準電圧の出力順を入力順とは異ならせることによって、最適化されている中間電位（Ｖcom ）に対して不均一な電圧が印加される時間を最小にすることについては何ら記載されていない。
【００１９】
また特許文献２においては、電気光学装置を駆動する際に、階調レベルの不連続を防止する駆動方法および駆動回路が開示されているが、電気光学装置に複数の交流駆動電圧を順次切り替えて印加する際に、切り替えスイッチによって階調基準電圧の出力順を入力順とは異ならせることによって、最適化されている中間電位（Ｖcom ）に対して不均一な電圧が印加される時間を最小にすることについては何ら記載されていない。
【００２０】
また、特許文献３においては、液晶パネルの交流駆動時における低消費電力化を実現可能な液晶駆動方法が開示されているが、液晶パネルに複数の交流駆動電圧を順次切り替えて印加する際に、切り替えスイッチによって階調基準電圧の出力順を入力順とは異ならせることによって、最適化されている中間電位（Ｖcom ）に対して不均一な電圧が印加される時間を最小にすることについては何ら記載されていない。
【００２１】
また、特許文献４においては、製造した液晶パネルごとのγ特性のばらつきを除去して、画像を良好に表示する液晶表示装置が開示されているが、液晶表示装置に複数の交流駆動電圧を順次切り替えて印加する際に、切り替えスイッチによって階調基準電圧の出力順を入力順とは異ならせることによって、最適化されている中間電位（Ｖcom ）に対して不均一な電圧が印加される時間を最小にすることについては何ら記載されていない。
【００２２】
さらに、特許文献５においては、液晶表示装置において、液晶ドライバを液晶パネルの片側に配置することによって実装面積を縮小し、かつ列毎反転駆動を行うことによって高画質表示を可能にし、また液晶駆動の基準電圧の交流化回路を液晶ドライバに内蔵することによって、電源回路の回路規模を縮小することが開示されているが、液晶表示装置に複数の交流駆動電圧を順次切り替えて印加する際に、切り替えスイッチによって階調基準電圧の出力順を入力順とは異ならせることによって、最適化されている中間電位（Ｖcom ）に対して不均一な電圧が印加される時間を最小にすることについては何ら記載されていない。
【特許文献１】特開２００２−２５８８１６号公報（図１，図２、〔００１６〕〜〔００１９〕，〔００３５〕）
【特許文献２】特開２００４−２７９５６７号公報（図１、〔００３４〕，〔００３５〕）
【特許文献３】特開２００４−３６１７０９号公報（図６）
【特許文献４】特開２００５−０４９４１８号公報（図８，図９、〔０００２〕〜〔０００６〕）
【特許文献５】特開２００６−０４８０８３号公報（図１）
【発明の開示】
【発明が解決しようとする課題】
【００２３】
交流駆動方式を採用した液晶表示装置において、同一の出力電圧設定部の出力を、出力切り替え制御部において順次切り替えて階調基準電圧を発生する場合に、複数の階調基準電圧の出力順序を、フレームごとに高電圧側から低電圧側へ、低電圧側から高電圧側へと切り替える（変更する）際に、交流駆動電圧を形成する階調基準電圧の中間電位（Ｖcom ）に対する正負の差分が一定に保たれない時間が生じるため、残像やフリッカ現象，輝度変化現象等の発生や、表示品位の劣化が発生する場合がある。
このような場合、階調基準電圧の切替シーケンスを変更することによって、交流駆動方式を採用した液晶表示装置において装置稼働中に交流駆動電圧を変更する際に、交流駆動電圧を形成する階調基準電圧において、最適化された中間電位（Ｖcom ）に対する正負の差分が生じる時間を最小にして、残像やフリッカ現象，輝度変化現象等の表示異常の発生を抑制できるようにすることが求められている。
【００２４】
この発明は上述の事情に鑑みてなされたものであって、交流駆動方式を採用した液晶表示装置において、順次切替方式によって階調基準電圧を生成してから、階調基準電圧の切替シーケンスを最適順に変更する方式をとることによって、交流駆動方式の液晶表示装置の場合にも、装置稼働中に階調基準電圧を変更する際に交流駆動電圧を形成する階調基準電圧において、最適化されている中間電位（Ｖcom ）に対する正負のの差分が発生する時間を最小にすることができ、従って、残像やフリッカ現象，輝度変化現象等の表示異常の発生を抑制することが可能な、液晶表示装置および液晶表示装置の制御方法を提供することを目的としている。
【課題を解決するための手段】
【００２５】
上記課題を解決するため、請求項１記載の発明は液晶表示装置に係り、交流駆動方式の液晶表示装置において、階調基準電圧生成部に、同一の出力電圧設定部から順次切り替えて入力される階調基準電圧の出力順序を入力順序とは異ならせてソース・ドライバに供給する出力切り替え制御部を備え、該出力切り替え制御部が、装置稼働中に階調基準電圧の出力順序を変化させる場合に、上記ソース・ドライバに入力される交流駆動電圧を形成する階調基準電圧における、最適化されている中間電位に対する正負の差分が発生する時間が最小になるように制御することを特徴としている。
【００２６】
また、請求項２記載の発明は、請求項１記載の液晶表示装置に係り、上記出力切り替え制御部が、上記階調基準電圧の出力順序を所定のシーケンスに従って入力順序と異ならせるように制御する切り替えスイッチ制御部と、該切り替えスイッチ制御部の制御に従って上記出力電圧設定部からの階調基準電圧の出力順序を入力順序とは異ならせて上記ソース・ドライバに供給する切り替えスイッチとを備えてなることを特徴としている。
【００２７】
また、請求項３記載の発明は液晶表示装置に係り、交流駆動方式の液晶表示装置において、出力電圧設定部とソース・ドライバとの間に出力切り替え制御回路を備え、該出力切り替え制御回路が、上記出力電圧設定部から順次切り替えて入力される階調基準電圧の出力順序を入力順序とは異ならせてソース・ドライバに供給するとともに、装置稼働中に階調基準電圧の出力順序を変化させる場合に、上記ソース・ドライバに入力される交流駆動電圧を形成する階調基準電圧における、最適化されている中間電位に対する正負の差分が発生する時間が最小になるように制御することを特徴としている。
【００２８】
また、請求項４記載の発明は、請求項３記載の液晶表示装置に係り、上記出力切り替え制御回路が、上記階調基準電圧の出力順序を所定のシーケンスに従って入力順序と異ならせるように制御する切り替えスイッチ制御部と、該切り替えスイッチ制御部の制御に従って上記出力電圧設定部からの階調基準電圧の出力順序を入力順序とは異ならせて上記ソース・ドライバに供給する切り替えスイッチとを備えてなることを特徴としている。
【００２９】
また、請求項５記載の発明は、請求項１乃至４のいずれか一記載の液晶表示装置に係り、液晶表示装置において、装置電源電圧の状態を監視して装置駆動時にのみ制御情報を出力する電源電圧モニタ回路を備え、上記出力切り替え制御部または出力切り替え制御回路が、装置起動時には上記出力電圧設定部からの階調基準電圧の出力順序を変化させずに、装置駆動時に上記制御情報に基づいて上記出力電圧設定部からの階調基準電圧の出力順序を入力順序とは異ならせてソース・ドライバに供給するように構成されていることを特徴としている。
【００３０】
また、請求項６記載の発明は、請求項５記載の液晶表示装置に係り、上記電源電圧モニタ回路が、ソース・ドライバに対してロジック電圧が供給されていることを判定したことによって、上記制御情報を出力するように構成されていることを特徴としている。
【００３１】
また、請求項７記載の発明は、請求項１乃至４のいずれか一記載の液晶表示装置に係り、液晶表示装置において、装置起動後の経過時間を検出して装置駆動時にのみ制御情報を出力する起動時間検出回路を備え、上記出力切り替え制御部または出力切り替え制御回路が、装置起動時には上記出力電圧設定部からの階調基準電圧の出力順序を変化させずに、装置駆動時に上記制御情報に基づいて上記出力電圧設定部からの階調基準電圧の出力順序を入力順序とは異ならせてソース・ドライバに供給するように構成されていることを特徴としている。
【００３２】
また、請求項８記載の発明は、請求項７記載の液晶表示装置に係り、上記起動時間検出回路が、ソース・ドライバに対してロジック電圧が供給されている状態で所定時間の経過によって装置稼働中であることを判定したことによって、上記制御情報を出力するように構成されていることを特徴としている。
【００３３】
また、請求項９記載の発明は、請求項５乃至７のいずれか一記載の液晶表示装置に係り、液晶表示装置において、上記出力切り替え制御部または出力切り替え制御回路において使用すべきシーケンスを記憶する外部記憶媒体を備え、該外部記憶媒体に記憶されているシーケンスに応じて上記出力切り替え制御部または出力切り替え制御回路が、その動作を変更可能に構成したことを特徴としている。
【００３４】
また、請求項１０記載の発明は、請求項９記載の液晶表示装置に係り、上記電源電圧モニタ回路からの制御情報または上記起動時間検出回路からの制御情報に応じて、上記記憶媒体から上記出力切り替え制御部または出力切り替え制御回路において使用すべきシーケンスを読み出して、該シーケンスを上記出力切り替え制御部または出力切り替え制御回路に設けられた切り替えスイッチ制御部に供給することによって、該切り替えスイッチ制御部が、上記切り替えスイッチの切り替え順序の制御を行うように構成されていることを特徴としている。
【００３５】
また、請求項１１記載の発明は液晶表示装置の制御方法に係り、交流駆動方式の液晶表示装置において、階調基準電圧生成部に、同一の出力電圧設定部から順次切り替えて入力される階調基準電圧の出力順序を入力順序とは異ならせてソース・ドライバに供給する出力切り替え制御部を設け、該出力切り替え制御部が、装置稼働中に階調基準電圧の出力順序を変化させる場合に、上記ソース・ドライバに入力される交流駆動電圧を形成する階調基準電圧における、最適化されている中間電位に対する正負の差分が発生する時間が最小になるように制御することを特徴としている。
【００３６】
また、請求項１２記載の発明は、請求項１１記載の液晶表示装置の制御方法に係り、上記出力切り替え制御部が、切り替えスイッチ制御部を備えて上記階調基準電圧の出力順序を所定のシーケンスに従って入力順序と異ならせるように制御するとともに、切り替えスイッチを備えて上記切り替えスイッチ制御部の制御に従って上記出力電圧設定部からの階調基準電圧の出力順序を入力順序とは異ならせて上記ソース・ドライバに供給することを特徴としている。
【００３７】
また、請求項１３記載の発明は液晶表示装置の制御方法に係り、交流駆動方式の液晶表示装置において、出力電圧設定部とソース・ドライバとの間に出力切り替え制御回路を設け、該出力切り替え制御回路が、上記出力電圧設定部から順次切り替えて入力される階調基準電圧の出力順序を入力順序とは異なる順序に変更してソース・ドライバに供給するとともに、装置稼働中に階調基準電圧の出力順序を変化させる場合に、上記ソース・ドライバに入力される交流駆動電圧を形成する階調基準電圧における、最適化されている中間電位に対する正負の差分が発生する時間が最小になるように制御することを特徴としている。
【００３８】
また、請求項１４記載の発明は、請求項１３記載の液晶表示装置の制御方法に係り、上記出力切り替え制御回路が、切り替えスイッチ制御部を備えて上記階調基準電圧の出力順序を所定のシーケンスに従って入力順序と異ならせるように制御するとともに、切り替えスイッチを備えて上記切り替えスイッチ制御部の制御に従って上記出力電圧設定部からの階調基準電圧の出力順序を入力順序とは異ならせて上記ソース・ドライバに供給することを特徴としている。
【００３９】
また、請求項１５記載の発明は、請求項１１乃至１４のいずれか一記載の液晶表示装置の制御方法に係り、液晶表示装置において、装置電源電圧の状態を監視して装置駆動時にのみ制御情報を出力する電源電圧モニタ回路を備え、上記出力切り替え制御部または出力切り替え制御回路が、装置起動時には上記出力電圧設定部からの階調基準電圧の出力順序を変化させずに、装置駆動時に上記制御情報に基づいて上記出力電圧設定部からの階調基準電圧の出力順序を入力順序とは異ならせてソース・ドライバに供給することを特徴としている。
【００４０】
また、請求項１６記載の発明は、請求項１５記載の液晶表示装置の制御方法に係り、上記電源電圧モニタ回路が、ソース・ドライバに対してロジック電圧が供給されていることを判定したことによって、上記制御情報を出力することを特徴としている。
【００４１】
また、請求項１７記載の発明は、請求項１１乃至１４のいずれか一記載の液晶表示装置の制御方法に係り、液晶表示装置において、装置起動後の経過時間を検出して装置駆動時にのみ制御情報を出力する起動時間検出回路を備え、上記出力切り替え制御部または出力切り替え制御回路が、装置起動時には上記出力電圧設定部からの階調基準電圧の出力順序を変化させずに、装置駆動時に上記制御情報に基づいて上記出力電圧設定部からの階調基準電圧の出力順序を入力順序とは異ならせてソース・ドライバに供給することを特徴としている。
【００４２】
また、請求項１８記載の発明は、請求項１７記載の液晶表示装置の制御方法において、上記起動時間検出回路が、ソース・ドライバに対してロジック電圧が供給されている状態で所定時間の経過によって装置稼働中であることを判定したことによって、上記制御情報を出力することを特徴としている。
【００４３】
また、請求項１９記載の発明は、請求項１５乃至１７のいずれか一記載の液晶表示装置の制御方法に係り、液晶表示装置において、上記出力切り替え制御部または出力切り替え制御回路において使用すべきシーケンスを記憶する外部記憶媒体を備え、該外部記憶媒体に記憶されているシーケンスに応じて上記出力切り替え制御部または出力切り替え制御回路が、その動作を変更可能になることを特徴としている。
【００４４】
また、請求項２０記載の発明は、請求項１９記載の液晶表示装置の制御方法に係り、上記電源電圧モニタ回路からの制御情報または上記起動時間検出回路からの制御情報に応じて、上記記憶媒体から上記出力切り替え制御部または出力切り替え制御回路において使用すべきシーケンスを読み出して、該シーケンスを上記出力切り替え制御部または出力切り替え制御回路に設けられた切り替えスイッチ制御部に供給することによって、該切り替えスイッチ制御部が、上記切り替えスイッチの切り替え順序の制御を行うことを特徴としている。
【発明の効果】
【００４５】
本発明の液晶表示装置および液晶表示装置の制御方法によれば、交流駆動方式を採用した液晶表示装置において、順次切替方式によって階調基準電圧を発生してから、その切替シーケンスを最適順に変更するようにしたので、装置稼働中に交流駆動電圧を変更する際に、交流駆動電圧を形成する階調基準電圧における、最適化されている中間電位（Ｖcom ）に対する正負の差分が発生する時間を最小にすることができ、従って、残像やフリッカ現象，輝度変化現象等の表示異常の発生を抑制することが可能となる。
【発明を実施するための最良の形態】
【００４６】
本発明の液晶表示装置および液晶表示装置の制御方法は、交流駆動方式の液晶表示装置において、階調基準電圧生成部に、同一の出力電圧設定部から順次切り替えて入力される階調基準電圧の出力順序を入力順序とは異ならせてソース・ドライバに供給する出力切り替え制御部を備え、この出力切り替え制御部が、装置稼働中に階調基準電圧を変化させる場合に、ソース・ドライバに入力される交流駆動電圧を形成する階調基準電圧における、最適化されている中間電位に対する正負の差分が発生する時間が最小になるように制御するものである。
【実施例１】
【００４７】
図１は、本発明の第１実施例である液晶表示装置の全体構成を示すブロック図、図２は、この例の液晶表示装置における階調基準電圧生成部の具体的構成を示す図、図３は、この例の液晶表示装置における階調基準電圧の変化を示すタイミングチャートである。
この例の液晶表示装置は、図１に示すように、液晶表示パネル１と、ソース・ドライバＩＣ２と、ゲート・ドライバＩＣ３と、階調基準電圧生成部４Ａと、電源部５と、制御部６とから概略構成されている。これらのうち、液晶表示パネル１，ソース・ドライバＩＣ２，ゲート・ドライバＩＣ３，電源部５，制御部６は図７に示された従来の液晶表示装置の場合と同様なので、以下においてはこれらについての詳細な説明を省略する。
【００４８】
図２は、この例の液晶表示装置における階調基準電圧生成部４Ａの具体的構成を示したものである。
階調基準電圧生成部４Ａは、出力電圧設定部７と、出力切り替え制御部１１とからなっており、外部制御信号に応じて階調基準電圧を生成して、ソース・ドライバＩＣ２に出力する。このうち、出力電圧設定部７は、図１０に示されたものと同様であり、外部制御信号に応じて動作して、ソース・ドライバＩＣ２の各画素列に出力すべき階調基準電圧Ｖ0 ，Ｖ1 ，・・・，Ｖn ，Ｖn+1 ，・・・，Ｖx-1 ，Ｖx を順次設定する。
【００４９】
出力切り替え制御部１１は、切り替えスイッチ８Ａと、切り替えスイッチ制御部１２とからなっている。切り替えスイッチ制御部１２は、外部制御信号に応じて動作して、所定のシーケンスに従って切り替えスイッチ８Ａの切り替え順序を制御する。切り替えスイッチ８Ａは、出力電圧設定部７のディジタルアナログコンバータ１０から出力された階調基準電圧を、切り替えスイッチ制御部１２によって制御された順に切り替えて出力する。
【００５０】
図３は、図２に示された階調基準電圧生成部４Ａの動作を説明するためのタイミングチャートである。
図１に示された制御部６は、入力映像信号に対応して、各画素列に対して書き込むべき設定データをソース・ドライバＩＣ２に出力する。ソース・ドライバＩＣ２は、設定データに基づいて階調基準電圧から生成したドレイン電圧を、対応するデータ線を経て画素駆動トランジスタに出力する。
【００５１】
図２の場合、切り替えスイッチ８Ａは、切り替えスイッチ制御部１２の制御に応じて、出力電圧設定部７から順次出力される階調基準電圧Ｖ0 →Ｖ1  ,・・・, Ｖn →Ｖn+1  ,・・・, Ｖx-1 →Ｖx の出力順を、所定のシーケンスに従って変更してソース・ドライバＩＣ２に対して出力する。
これによって、ソース・ドライバＩＣ２への階調基準電圧の入力順を、Ｖ0 →Ｖx  ,・・・, Ｖ1 →Ｖx-1  ,・・・, Ｖn →Ｖn+1 のように変更することができる。
【００５２】
これによって、各階調基準電圧の出力電圧値を、ＶA0からＶB0に、ＶA1からＶB1に、ＶAnからＶBnに、ＶAn+1からＶBn+1に、ＶAx-1からＶBx-1に、ＶAxからＶBxに変更する際に、ＶA0およびＶAxで形成される交流駆動電圧を「Ａ」とし、ＶB0およびＶBxで形成される交流駆動電圧を「Ｇ」とすると、ＶA0がＶB0に遷移開始してからＶAxがＶBxに遷移終了するまでの期間「Ｔ１」の間は、ＶB0およびＶAxで形成される交流駆動電圧「Ｄ」がソース・ドライバＩＣに印加される。
また、ＶA1およびＶAx-1で形成される交流駆動電圧を「Ｂ」とし、ＶB1およびＶBx-1で形成される交流駆動電圧を「Ｈ」とすると、ＶA1がＶB1に遷移開始してからＶAx-1がＶBx-1に遷移終了するまでの期間「Ｔ２」の間は、ＶB1およびＶAx-1で形成される交流駆動電圧「Ｅ」がソース・ドライバＩＣに印加される。
同様に、ＶAnおよびＶAn+1で形成される交流駆動電圧を「Ｃ」とし、ＶBnおよびＶBn+1で形成される交流駆動電圧を「Ｉ」とすると、ＶAnがＶBnに遷移開始してからＶAn+1がＶBn+1に遷移終了するまでの期間「Ｔ３」の間は、ＶBnおよびＶAn+1で形成される交流駆動電圧「Ｆ」がソース・ドライバＩＣに印加される。
【００５３】
図１に示された液晶表示装置では、図３に示されるように、交流駆動電圧「Ａ」，「Ｂ」，「Ｃ」の出力状態から、交流駆動電圧「Ｇ」，「Ｈ」，「Ｉ」の出力状態に変化する際に、同一の出力電圧設定部７から順次入力される階調基準電圧の出力順序を変更することによって、交流駆動電圧を形成する階調基準電圧が中間電位（Ｖcom ）に対して不平衡になる期間「Ｔ１」，「Ｔ２」，「Ｔ３」を最小にすることができる。
このように、図１に示された液晶表示装置では、最適化されている中間電位（Ｖcom ）に対して不均一な電圧が印加される時間を最小にすることができるので、残像やフリッカ現象，輝度変化現象等の発生や、表示品位劣化を抑制することができる。
【実施例２】
【００５４】
図４は、本発明の第２実施例である液晶表示装置の全体構成を示すブロック図である。この例の液晶表示装置は、図４に示すように、液晶表示パネル１と、ソース・ドライバＩＣ２と、ゲート・ドライバＩＣ３と、電源部５と、制御部６と、出力電圧設定部７と、出力切り替え制御回路１３とから概略構成されている。これらのうち、液晶表示パネル１，ソース・ドライバＩＣ２，ゲート・ドライバＩＣ３，電源部５，制御部６，出力電圧設定部７は、図１に示されたものと同様である。
【００５５】
出力切り替え制御回路１３は、出力電圧設定部７とソース・ドライバＩＣ２との間に設けられており、図示省略されているが、図２に示された場合と同様に、切り替えスイッチ制御部と切り替えスイッチとからなっていて、電源部５から供給される動作電源によって動作して、出力電圧設定部７から順次切り替えて入力される階調基準電圧Ｖ0 →Ｖ1  ,・・・, Ｖn →Ｖn+1  ,・・・, Ｖx-1 →Ｖx の、ソース・ドライバＩＣ２に対する出力順序を、所定のシーケンスに従って変更するので、出力電圧設定部７からソース・ドライバＩＣ２に対する階調基準電圧の出力順を、図２の場合と同様に、Ｖ0 →Ｖx  ,・・・, Ｖ1 →Ｖx-1  ,・・・, Ｖn →Ｖn+1 のように変更することができる。
【００５６】
図４に示された液晶表示装置によれば、第１実施例の場合と同様に、交流駆動電圧の出力状態を変化させる際に、同一の出力電圧設定部７から順次入力される階調基準電圧の出力順序を変更することによって、交流駆動電圧を形成する階調基準電圧が中間電位（Ｖcom ）に対して不平衡になる期間を最小にすることができる。
このように、図４に示された液晶表示装置では、最適化されている中間電位（Ｖcom ）に対して不均一な電圧が印加される時間を最小にすることができるので、残像やフリッカ現象，輝度変化現象等の発生や、表示品位劣化を抑制することができる。
【実施例３】
【００５７】
図５は、本発明の第３実施例である液晶表示装置の全体構成を示すブロック図である。この例の液晶表示装置は、図５に示すように、液晶表示パネル１と、ソース・ドライバＩＣ２と、ゲート・ドライバＩＣ３と、階調基準電圧生成部４Ｂと、電源部５と、制御部６と、電源電圧モニタ回路１４とから概略構成されている。これらのうち、液晶表示パネル１，ソース・ドライバＩＣ２，ゲート・ドライバＩＣ３，電源部５，制御部６は、図１に示されたものと同様である。
【００５８】
階調基準電圧生成部４Ｂは、出力電圧設定部７と、出力切り替え制御部１１Ａとからなっている。このうち、出力電圧設定部７は、図１に示されたものと同様である。
出力切り替え制御部１１Ａは、装置起動時と装置駆動時とにおける装置電源電圧の状態に基づく、ゲート・ドライバＩＣ３に対する供給電源電圧の変化に対応する、階調基準電圧出力順序切り替えのシーケンスを有している。
【００５９】
出力切り替え制御部１１Ａは、電源電圧モニタ回路１４からの制御に応じて、階調基準電圧の出力順序を変更しない装置起動時のシーケンスパターンと、装置稼働中に階調基準電圧の出力順序を変化させる際に、交流駆動電圧を形成する階調基準電圧の中間電位（Ｖcom ) に対する差分が大きくなる時間を最小にする本発明のシーケンスパターンとのいずれかに従って動作する。
ここで、装置起動時とは、液晶表示装置に入力電源が投入された直後の、これから表示を開始しようとする状態（各画素駆動トランジスタのドレイン電圧とゲート電圧が電源部から供給されていない）を指し、装置稼働中とは、液晶表示装置が継続して表示を行っている状態（電源部からソース・ドライバＩＣにロジック電圧が供給され、各画素駆動トランジスタのドレイン電圧とゲート電圧が供給されている）を指している。
電源電圧モニタ回路１４が動作するためには、ロジック電圧が立ち上がっていることが前提となる。電源電圧モニタ回路１４は、ロジック電圧のオン／オフを判定して、ロジック電圧がオフならば出力切り替え制御部１１Ａに制御情報を出力しないので、出力切り替え制御部１１Ａから出力される階調基準電圧は、出力順序が変化しない起動時のシーケンスパターンに従ったものとなる。一方、電源電圧モニタ回路１４は、ロジック電圧がオンならば出力切り替え制御部１１Ａに制御情報を出力するので、これによって出力切り替え制御部１１Ａから出力される階調基準電圧は、出力順序が変化する稼働中のシーケンスパターンに従ったものとなる。
【００６０】
なお、図４に示された出力切り替え制御回路１３における切り替えスイッチ制御部に対しても、図５の場合と同様に、電源電圧モニタ回路１４からの制御情報に応じて、出力電圧設定部７から順次生成される階調基準電圧の出力順序を変更し、または変更しないシーケンスを設定することができる。
【００６１】
図５に示された液晶表示装置によれば、電源電圧のモニタ結果の情報に応じて、装置起動時には、階調基準電圧の出力順序を変化させずに、装置駆動状態となってから、交流駆動電圧の出力状態を変化させる際に、同一の出力電圧設定部７から順次入力される階調基準電圧の出力順序を変更することによって、最適化されている中間電位（Ｖcom ）に対して不均一な電圧が印加される時間を最小にすることができるので、残像やフリッカ現象，輝度変化現象等の発生や、表示品位劣化を抑制することができる。
【実施例４】
【００６２】
図６は、本発明の第４実施例である液晶表示装置の全体構成を示すブロック図である。この例の液晶表示装置は、図６に示すように、液晶表示パネル１と、ソース・ドライバＩＣ２と、ゲート・ドライバＩＣ３と、階調基準電圧生成部４Ｃと、電源部５と、制御部６と、起動時間検出回路１５とから概略構成されている。これらのうち、液晶表示パネル１，ソース・ドライバＩＣ２，ゲート・ドライバＩＣ３，電源部５，制御部６は、図１に示されたものと同様である。
【００６３】
階調基準電圧生成部４Ｃは、出力電圧設定部７と、出力切り替え制御１１Ｂとからなっている。このうち、出力電圧設定部７は、図１に示されたものと同様である。
出力切り替え制御部１１Ｂは、装置起動後における経過時間に応じた装置電源電圧の状態に基づく、ゲート・ドライバＩＣ３に対する供給電源電圧の変化に対応する、階調基準電圧出力順序切り替えのシーケンスを有している。
【００６４】
出力切り替え制御部１１Ｂは、起動時間検出回路１５からの制御に応じて、装置起動時の、階調基準電圧の出力順序を変更しないシーケンスパターンと、装置稼働中に階調基準電圧の出力順序を変化させる際に、交流駆動電圧を形成する階調基準電圧の中間電位（Ｖcom ) に対する差分が大きくなる時間を最小にする本発明のシーケンスパターンとのいずれかに従って動作する。
ここで、装置起動時の状態と、装置稼働中の状態とは、図５に示す出力切り替え制御部１１Ａについて説明したものと同様である。
起動時間検出回路１５が動作するためには、ロジック電圧が立ち上がっていることが前提となる。起動時間検出回路１５は、ロジック電圧のオン／オフを判定して、ロジック電圧がオフならば出力切り替え制御部１１Ｂに制御情報を出力しないので、出力切り替え制御部１１Ｂから出力される階調基準電圧は出力順序を変更しない起動時のシーケンスパターンに従ったものとなる。
一方、起動時間検出回路１５は、ロジック電圧がオンならば出力切り替え制御部１１Ｂに制御情報を出力するので、これによって出力切り替え制御部１１Ｂから出力される階調基準電圧は出力順序が変化する稼働中のシーケンスパターンに従ったものとなる。
ただし、液晶表示装置に電源が投入されてから表示が開始されるまでに入力された映像信号の、ソース・ドライバＩＣ２に対するデータ出力順を変更するための時間や、クロックの同期が安定するまでのアイドル時間が必要なため、この間は、ソース・ドライバＩＣ２に対するロジック電圧がオンになっていても表示は行われないので、この期間は稼働中とはみなされない。
【００６５】
なお、図４に示された出力切り替え制御回路１３における切り替えスイッチ制御部に対しても、図６の場合と同様に、起動時間検出回路１５からの制御情報によって、出力電圧設定部７から順次生成される階調基準電圧の出力順序を変更し、または変更しないシーケンスを設定することができる。
【００６６】
図６に示された液晶表示装置によれば、装置起動後における経過時間の情報に応じて、装置起動時には、階調基準電圧の出力順序を変化させずに、装置駆動状態となってから、交流駆動電圧の出力状態を変化させる際に、同一の出力電圧設定部７から順次入力される階調基準電圧の出力順序を変更することによって、最適化されている中間電位（Ｖcom ）に対して不均一な電圧が印加される時間を最小にすることができるので、残像やフリッカ現象，輝度変化現象等の発生や、表示品位劣化を抑制することができる。
【実施例５】
【００６７】
図７は、本発明の第５実施例である液晶表示装置における階調基準電圧生成部の具体的構成を示すブロック図である。
この例の階調基準電圧生成部４Ｄは、図７に示すように、出力電圧設定部７と出力切り替え制御部１１Ｃとからなっている。このうち出力電圧設定部７は、図２に示されたものと同様である。
出力切り替え制御部１１Ｃは、切り替えスイッチ８Ａと、切り替えスイッチ制御部１２Ａと、外部記憶媒体１６とからなっている。このうち切り替えスイッチ８Ａは、図２に示されたものと同様である。
【００６８】
切り替えスイッチ制御部１２Ａは、外部制御信号に応じて、外部記憶媒体１６から読み出されたシーケンスに応じて切り替えスイッチ８Ａの切り替え順序を制御する。外部記憶媒体１６は、電源電圧モニタ回路１４からの電源電圧のモニタ結果の情報に応じて、切り替えスイッチ８Ａにおける階調基準電圧の出力順序を変更し、または変更しないシーケンスを出力し、また起動時間検出回路１５からの装置起動後の経過時間の情報に応じて、切り替えスイッチ８Ａにおける階調基準電圧の出力順序を変更し、または変更しないシーケンスを出力する。
【００６９】
これによって、切り替えスイッチ８Ａは、装置起動時における交流駆動電圧印加時には、装置起動時のシーケンスに従って、出力電圧設定部７からの階調基準電圧の出力順序を変更せず、また装置駆動状態では、電源電圧のモニタ結果の情報または装置起動後の経過時間の情報に応じて、交流駆動電圧印加時に階調基準電圧の出力順序を変更するシーケンスに従って、出力電圧設定部７からの階調基準電圧の出力順序を変化させる。
【００７０】
なお、図４に示された出力切り替え制御回路１３における切り替えスイッチ制御部に対しても、図７の場合と同様に、電源電圧モニタ回路１４からの装置起動時における装置電源電圧の変化の情報、または起動時間検出回路１５からの装置起動後の経過時間の情報に応じて、外部記憶媒体１６から設定されるシーケンスに従って、出力電圧設定部７から順次入力される階調基準電圧の出力順序を定めることができる。
【００７１】
図７に示された液晶表示装置によれば、出力切り替え制御部１１Ａ（図５）または出力切り替え制御部１１Ｂ（図６）に階調基準電圧の出力順序を変更するためのシーケンスを持たなくても、電源電圧のモニタ結果の情報に応じて、または装置起動後における経過時間の情報に応じて、装置起動時には、階調基準電圧の出力順序を変化させずに、装置駆動状態となってから、交流駆動電圧の出力状態を変化させる際に、同一の出力電圧設定部７から順次入力される階調基準電圧の出力順序を変更することによって、最適化されている中間電位（Ｖcom ）に対して不均一な電圧が印加される時間を最小にすることができるので、残像やフリッカ現象，輝度変化現象等の発生や、表示品位劣化を抑制することができる。
【００７２】
以上、この発明の実施例を図面により詳述してきたが、具体的な構成はこの実施例に限られるものではなく、この発明の要旨を逸脱しない範囲の設計の変更等があってもこの発明に含まれる。例えば、液晶表示装置における液晶表示パネルの駆動方式としては、１フレーム期間ごとにフレーム全体の極性を反転させる交流駆動方式に限らず、交互に１ラインごとに極性を反転させる画面構成として、１フレーム期間ごとにそれぞれのラインの極性を交互に反転させるライン反転交流駆動方式であってもよく、又は１ドットごとに極性を反転させる画面構成として、１フレーム期間ごとにそれぞれのドットの極性を交互に反転させるドット反転交流駆動方式であってもよい。
【産業上の利用可能性】
【００７３】
この発明の液晶表示装置および液晶表示装置の制御方法は、液晶テレビやパソコンの液晶ディスプレイ、カーナビ装置の液晶表示部や各種携帯情報端末（ＰＤＡ）の液晶表示部等において、残像やフリッカ現象，輝度変化現象等の発生の抑制や、表示品位劣化の防止等を実現するために利用可能なものである。
【図面の簡単な説明】
【００７４】
【図１】本発明の第１実施例である液晶表示装置の全体構成を示すブロック図である。
【図２】同実施例の液晶表示装置における階調基準電圧生成部の構成を示す図である。
【図３】同実施例の液晶表示装置における階調基準電圧の変化を示すタイミングチャートである。
【図４】本発明の第２実施例である液晶表示装置の全体構成を示すブロック図である。
【図５】本発明の第３実施例である液晶表示装置の全体構成を示すブロック図である。
【図６】本発明の第４実施例である液晶表示装置の全体構成を示すブロック図である。
【図７】本発明の第５実施例である液晶表示装置における階調基準電圧生成部の構成を示すブロック図である。
【図８】従来の液晶表示装置の基本的構成を示す図である。
【図９】階調基準電圧の全出力を、それぞれ異なるディジタルアナログコンバータを用いて生成する場合の回路構成の一例を示す図である。
【図１０】複数の階調基準電圧を、同一の回路を用いて順次切り替えて生成する場合の回路構成の一例を示す図である。
【図１１】複数の階調基準電圧を、同一の回路を用いて順次切り替えて生成する場合の、階調基準電圧の変化を示すタイミングチャートである。
【符号の説明】
【００７５】
１  液晶表示パネル
２  ソース・ドライバＩＣ
３  ゲート・ドライバＩＣ
４Ａ，４Ｂ，４Ｃ，４Ｄ  階調基準電圧生成部
５  電源部
６  制御部
７  出力電圧設定部
８Ａ  切り替えスイッチ
９  階調電圧値設定部
１０  ディジタルアナログコンバータ
１１，１１Ａ，１１Ｂ，１１Ｃ  出力切り替え制御部
１２，１２Ａ  切り替えスイッチ制御部
１３  出力切り替え制御回路
１４  電源電圧モニタ回路
１５  起動時間検出回路
１６  外部記憶媒体
【図１】
2008065286.tif 000003
【図２】
2008065286.tif 000004
【図３】
2008065286.tif 000005
【図４】
2008065286.tif 000006
【図５】
2008065286.tif 000007
【図６】
2008065286.tif 000008
【図７】
2008065286.tif 000009
【図８】
2008065286.tif 000010
【図９】
2008065286.tif 000011
【図１０】
2008065286.tif 000012
【図１１】
2008065286.tif 000013